【手続補正書】
【提出日】平成23年6月28日(2011.6.28)
【手続補正１】
【補正対象書類名】特許請求の範囲
【補正対象項目名】全文
【補正方法】変更
【補正の内容】
【特許請求の範囲】
【請求項１】
伝導性ナノ構造体ベース材料から形成され、相対する末端を有する伝導性部材；
伝導性部材の一端に位置するコネクター部分であって、伝導性部材内部でコネクター部分と接触する伝導性ナノ構造体の数を最大にして、ナノスケール環境と従前の電気および／または熱回路システムとの間の効率的な伝導を可能にするコネクター部分、を有するアダプター。
【請求項２】
伝導性部材がナノチューブから製造されたワイヤー、ヤーン、テープ、リボン、またはシートの一つである請求項１記載のアダプター。
【請求項３】
ナノチューブが炭素、銅、銀、ホウ素、ホウ素ニトリド、ＭｏＳ２または同様の化合物、若しくはそれらの組合せの一つから形成される請求項１又は２記載のアダプター。
【請求項４】
伝導性部材がグラファイト材料を含む請求項１〜３いずれか記載のアダプター。
【請求項５】
コネクター部分が、銅、アルミニウム、金、銀、銀被覆銅、カドミウム、ニッケル、錫、ビスマス、ヒ素、これらの金属の合金、ホウ素、ホウ素ニトリド、ガラス状カーボン、セラミックス、シリコン、シリコン化合物、ガリウムヒ素、それらの組合せ、または電気および／または熱伝導性である他の材料の一つから形成される請求項１〜４いずれか記載のアダプター。
【請求項６】
コネクター部分が電源から比較的高い電流を伝導性部材で保持して実質的な減衰なく外部回路に送ることを可能にする請求項１〜５いずれか記載のアダプター。
【請求項７】
コネクター部分が伝導性部材の相対する末端上の少なくとも一つに付着（deposited）される請求項１〜６いずれか記載のアダプター。
【請求項８】
コネクター部分が伝導性部材の相対する末端の各表面に電気メッキされる請求項１〜７いずれか記載の導電性アダプター。
【請求項９】
付着コネクター部分が金、銀、ニッケル、アルミニウム、銅、ビスマス、錫、亜鉛、カドミウム、錫−ニッケル合金、銅合金、錫−亜鉛合金、ビスマス−銅合金、カドミウム−ニッケル合金、他の伝導性金属およびそれらの合金、若しくはそれらの組合せの一つから形成される請求項１〜８いずれか記載のアダプター。
【請求項１０】
伝導性部材が少なくとも一方向に延びることを許容したパターンを包含する請求項１〜９いずれか記載のアダプター。
【請求項１１】
パターンがＸ軸、Ｙ軸またはその組合せの一つにそって延びている請求項１〜１０いずれか記載のアダプター。
【請求項１２】
伝導性部材が、延長した場合に、アダプターの抵抗に妥協せず、または本質的に変更する請求項１〜１１いずれか記載のアダプター。
【請求項１３】
伝導性部材中の伝導性ナノ構造体ベース材料とコネクター部分との間の実質的に均一な接合を提供するために、伝導性部材とコネクター部分との間にカップリング機構を包含する請求項１〜１２いずれか記載のアダプター。
【請求項１４】
カップリング機構がコネクター部分に対して伝導性部材の実質上低抵抗カップリングを提供する請求項１〜１３いずれか記載のアダプター。
【請求項１５】
カップリング機構がガラス状カーボン材料から形成される請求項１〜１４いずれか記載のアダプター。
【請求項１６】
ガラス状カーボン材料がフルフリルアルコール、レゾール樹脂、ＰＶＡ、またはガラス状カーボン材料を形成しうる他の液状樹脂または材料を包含するプレカーサー材料から製造される請求項１〜１５いずれか記載のアダプター。
【請求項１７】
ガラス状カーボン材料が、伝導性部材とコネクター部分との間の電気伝導性または熱伝導性を向上しうる請求項１〜１６いずれか記載のアダプター。
【請求項１８】
熱伝導材、電気伝導材、ＥＭＩ用途、高電流移動材、ＲＦ用途、パルス用途、熱電および／または電力発生、センサー用途または他の同様の用途の一つに用いられる請求項１〜１７いずれか記載のアダプター。
【請求項１９】
従前の電気および／または熱回路システムに用いるための標準コネクターに対する効率的な導体に用いる請求項１〜１８いずれか記載の導電性アダプター。
【請求項２０】
伝導性部材とコネクター部分との間の接合が、約４００℃以上の温度でも劣化せずに耐えることができる請求項１〜１９いずれか記載のアダプター。
【請求項２１】
伝導性ナノ構造体ベース材料から形成された伝導性部材と伝導性部材に接合しうるコネクター部分とを提供する工程、
伝導性部材とコネクター部分との間に接合部に、ガラス状カーボンプレカーサー材料を置く工程、および、
接合部を加熱してガラス状カーボンプレカーサーを熱分解して、伝導性部材内部でコネクター部分に接触する伝導性ナノ構造体の数を最大にして、伝導率を向上しうるガラス状カーボン材料を形成する工程、
を有する伝導性部材の製造方法。
【請求項２２】
提供する工程において、伝導性部材がナノチューブから製造されたワイヤー、ヤーン、テープ、リボン、またはシートの一つである請求項２１記載の製造方法。
【請求項２３】
提供する工程において、ナノチューブが炭素、銅、銀、ホウ素、ホウ素ニトリド、ＭｏＳ２または同様の化合物、若しくはそれらの組合せの一つから形成される請求項２１又は２２記載の製造方法。
【請求項２４】
提供する工程において、伝導性部材がグラファイト材料である請求項２１〜２３いずれか記載の製造方法。
【請求項２５】
提供する工程において、コネクター部分が、銅、アルミニウム、金、銀、銀被覆銅、カドミウム、ニッケル、錫、ビスマス、ヒ素、これらの金属の合金、ホウ素、ホウ素ニトリド、ガラス状カーボン、セラミックス、シリコン、シリコン化合物、ガリウムヒ素、それらの組合せ、または導電性および／または熱伝導性である他の材料の一つから形成される請求項２１〜２４いずれか記載の製造方法。
【請求項２６】
ガラス状カーボンプレカーサー材料を置く工程において、ガラス状カーボンプレカーサーがフルフリルアルコール、レゾール樹脂、ＰＶＡ、またはガラス状カーボン材料を形成しうる他の液状樹脂または材料を包含するプレカーサー材料から得られる請求項２１〜２５いずれか記載の製造方法。
【請求項２７】
加熱工程において、ガラス状カーボン材料が、伝導性部材とコネクター部分との間の電気伝導性または熱伝導性を向上しうる請求項２１〜２６いずれか記載の製造方法。
【請求項２８】
加熱工程において、ガラス状カーボン材料が伝導性部材とコネクター部分との間の実質的に均一な接合を提供する請求項２１〜２７いずれか記載の製造方法。
【請求項２９】
加熱工程において、ガラス状カーボン機構が伝導性部材のコネクター部分に対する実質的に低抵抗カップリングを提供する請求項２１〜２８いずれか記載の製造方法。
【請求項３０】
加熱工程が接合部分での温度を約４００〜約４５０℃またはそれ以上の温度に上げて、熱分解工程を完結する請求項２１〜２９いずれか記載の製造方法。
【請求項３１】
伝導性ナノ構造体ベース材料から形成され、相対する末端を有する伝導性部材を提供する工程、および、
伝導性部材内部でコネクター部分と接触する伝導性ナノ構造体の数を最大にするために伝導性部材の少なくとも一端にコネクター部分を付着して、ナノスケール環境と従前の電気および／または熱回路システムとの間の効率的な伝導を可能にする工程、
を有する伝導性アダプターの製造方法。
【請求項３２】
提供する工程において、伝導性部材がナノチューブから製造されたワイヤー、ヤーン、テープ、リボン、またはシートの一つを含む請求項３１記載の製造方法。
【請求項３３】
提供する工程が、ナノチューブから製造されたヤーン、テープ、リボンの複数を結合して伝導性部材を作成することを含む請求項３１又は３２記載の製造方法。
【請求項３４】
提供する工程において、ナノ構造体ベースの材料が炭素、銅、銀、ホウ素、ホウ素ニトリド、ＭｏＳ２または同様の化合物、若しくはそれらの組合せの一つから形成される請求項３１〜３３いずれか記載の製造方法。
【請求項３５】
提供する工程において、伝導性部材がグラファイト材料を含む請求項３１〜３４いずれか記載の製造方法。
【請求項３６】
付着工程が伝導性部材の相対する末端の各々上のコネクター部分を電気メッキすることを含む請求項３１〜３５いずれか記載の製造方法。
【請求項３７】
付着工程が、金、銀、ニッケル、アルミニウム、銅、ビスマス、錫、亜鉛、カドミウム、錫−ニッケル合金、銅合金、錫−亜鉛合金、ビスマス−銅合金、カドミウム−ニッケル合金、他の導電性金属およびそれらの合金、若しくはそれらの組合せの一つを伝導性部材の相対する末端の各々の上に電気メッキして、コネクター部分を提供する請求項３１〜３６いずれか記載の製造方法。
【請求項３８】
更に、伝導性部材上にデザインを施して、少なくとも一方向に伝導性部材を延長することを可能にする請求項３１〜３７いずれか記載の製造方法。
【請求項３９】
更に、伝導性部材上にデザインを施して、Ｘ軸、Ｙ軸またはそれらの組合せに沿って伝導性部材を延長することを可能にする請求項３１〜３８いずれか記載の製造方法。
【請求項４０】
デザインを施す工程において、伝導性部材が、延長されたときに、伝導性部材の抵抗を妥協せずまたは実質的に変更する請求項３１〜３９いずれか記載の製造方法。